(57)【特許請求の範囲】
【請求項１】
１階の床の一部の上に中間床2が設けられ、さらに２階の床を持つ建物において、前記中間床2と１階の床1とを連絡する内部階段3が１階の独立した１つの部屋4内に設置されており、前記独立した１つの部屋4の周囲は、壁および前記内部階段等によって、１階の床から中間床または２階の床5の下部まで囲まれており、前記内部階段3は、前記１階の部屋の外部に面する壁部に隣接して設置されており、前記１階の独立した１つの部屋4の内部階段3に対向する内壁面4aが、前記１階の床から２階の床の下部に到達する高さに設定されており、前記内部階段3の幅は最下段が最も狭く、上方に昇るにつれて中間床上室内に向かって幅が広くなるように形成され、当該最も幅の狭い部分の幅寸法が８６０ｍｍ以上に設定されており、前記中間床2と１階の床との間に収納空間6が設けられ、該収納空間6の出入り口6aが前記独立した１つの部屋4に面して、しかも前記階段3に隣接して設けられており、前記内部階段3に対向する前記内壁面4aは、前記内部階段の正面に配置されていることを特徴とする建物。
【請求項２】
請求項１に記載の建物において、前記中間床の外部にはデッキスペースが設けられ、このデッキスペースに続く外部階段が、前記１階の部屋の壁部を介して前記内部階段に隣接する位置に設置されていることを特徴とする建物。
【発明の詳細な説明】
【技術分野】
【０００１】
本発明は、１階の床の一部の上に中間床が設けられ、この中間床と前記１階の床とを連絡する内部階段が１階の部屋内に設置された建物に関する。
【背景技術】
【０００２】
近年の家庭用プロジェクターの低価格化に伴い、建物内にホームシアターを設けた住宅が増加している。このようなホームシアターは、建物内にある程度の広さの専用部屋を確保して、その部屋にプロジェクターやスクリーン等の各設備を設けることで、映画館のような雰囲気の部屋の中で快適に映画を楽しむことができる構成となっている。
また、このようなホームシアターを設けた建物として、例えば特許文献１に記載のような技術が知られている。
【特許文献１】特開平０６−０８８４４０号公報
【発明の開示】
【発明が解決しようとする課題】
【０００３】
ところで、建物の設計・建築においては、延べ床面積が問題となることが多い。この問題は、特に、敷地面積に対する建物の建ぺい率や容積率との関係において重要であり、例えば、近年において、３階建ての戸建て住宅の建築も多く見られるが、敷地面積が十分でない場合には、建ぺい率や容積率との関係で床面積を抑制する必要性が生じる。
【０００４】
ところが、このような事情を考慮しつつ、上述したようなホームシアター専用の部屋を建物内に設けた場合、そのスペースをとるために、例えばリビングやキッチン等、他の居住空間を狭めなければならない場合があった。
【０００５】
本発明の課題は、建物内にホームシアターを設けながら他の居住空間のためのスペースを十分に取ることが可能となり、これによって、建物の内部空間を有効的に利用することができるとともに快適性および居住性を向上させることができる建物を提供することを目的とする。
【課題を解決するための手段】
【０００６】
本願発明は、１階の床の一部の上に中間床2が設けられ、さらに２階の床を持つ建物において、前記中間床2と１階の床1とを連絡する内部階段3が１階の独立した１つの部屋4内に設置されており、前記独立した１つの部屋4の周囲は、壁および前記内部階段等によって、１階の床から中間床または２階の床5の下部まで囲まれており、前記内部階段3は、前記１階の部屋の外部に面する壁部に隣接して設置されており、前記１階の独立した１つの部屋4の内部階段3に対向する内壁面4aが、前記１階の床から２階の床の下部に到達する高さに設定されており、前記内部階段3の幅は最下段が最も狭く、上方に昇るにつれて中間床上室内に向かって幅が広くなるように形成され、当該最も幅の狭い部分の幅寸法が８６０ｍｍ以上に設定されており、前記中間床2と１階の床との間に収納空間6が設けられ、該収納空間6の出入り口6aが前記独立した１つの部屋4に面して、しかも前記階段3に隣接して設けられており、前記内部階段3に対向する前記内壁面4aは、前記内部階段の正面に配置されていることを特徴とする。
また、前記中間床の外部にはデッキスペースが設けられ、このデッキスペースに続く外部階段が、前記１階の部屋の壁部を介して前記内部階段に隣接する位置に設置されている。
【０００８】
請求項２に記載の発明は、例えば図１および図２に示すように、請求項１に記載の建物Ａにおいて、
前記中間床２と１階の床１との間に収納空間６，７が設けられ、該収納空間６，７の出入り口６ａ，７ａが前記１階の部屋４に面して設けられていることを特徴とする。
【０００９】
請求項２に記載の発明によれば、前記中間床２と１階の床１との間に収納空間６，７を設けることにより、大容量の収納スペースを確保することが可能となり、他の居住空間に収納できない物品等を収納しておくことができるので、建物Ａの内部空間を有効的に利用することができるとともに居住性を向上させることができる。
また、前記収納空間６，７の出入り口６ａ，７ａを前記１階の部屋４に面して設けることにより、前記１階の部屋４からの物品の搬出入がし易いだけでなく、前記１階の部屋４の開口部４ｃを通じて建物外部からの物品の搬出入がし易いので使い勝手が良い。
【発明の効果】
【００１８】
本発明によれば、１階の部屋の壁面が内部階段に対向しており、前記内部階段から前記壁面全面を見渡すことができるようになっているので、前記壁面に大型のスクリーンを設けるとともに、前記１階の部屋内にプロジェクターを設けることにより、前記１階の部屋をホームシアターとして利用することが可能となり、前記内部階段に腰掛けて映画等を楽しむことができる。しかも、前記内部階段の幅が、大人２人が並列した幅よりも広く設定されていることから、前記１階の床と中間床との行き来のためのスペースを確保しつつ前記内部階段を広々と使うことができるので、前記内部階段に腰掛けながら映画等を快適に鑑賞することができる。
また、前記内部階段および前記１階の部屋を用いてホームシアターとして利用することができ、しかも、前記中間床と１階の床との間に収納空間を設けるとともに、前記内部階段を上がった先の前記中間床上に更に他の居住空間を設けることができるので、建物の内部空間を有効的に利用することができるとともに居住性を向上させることができる。
したがって、建物内にホームシアターを設けながら他の居住空間のためのスペースを十分に取ることが可能となるので、建物の内部空間を有効的に利用することができるとともに快適性および居住性を向上させることができる。
【発明を実施するための最良の形態】
【００１９】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２０】
本実施の形態の建物Ａは、図１および図２に示すように、１階の床１の一部の上に中間床２が設けられ、この中間床２と前記１階の床１とを連絡する内部階段３が１階の部屋４内に設置されたものであり、
前記内部階段３に対向する前記１階の部屋４の壁面４ａが、前記１階の床１から２階の床５の下部に到達する高さに設定されているとともに、前記内部階段３の幅が、大人２人が並列した幅よりも広く設定されている。
【００２１】
前記１階の床１は、図１に示すように、右側および中央上側付近に前記中間床２が設けられ、この中間床２と１階の床１との間には収納空間６，７が設けられている。その他に、玄関１ａ、収納所１ｂ、廊下１ｃ、和室１ｄ、トイレ１ｅ、洗面室１ｆ等が設けられている。
また、前記玄関１ａは、図１〜図３に示すように、１階の床１から２階の床５を貫き、２階の天井に到達する吹抜け空間となっており、開放感のある空間となっている。
【００２２】
前記中間床２は、図１および図２に示すように、前記１階の床１から半階上がった高さ位置の前記１階の床１の右側および中央上側付近に設けられており、この中間床２と１階の床１との間に収納空間６，７が設けられている。そして、このように前記中間床２と１階の床１との間に収納空間６，７を設けることにより、大容量の収納スペースを確保することが可能となり、他の居住空間に収納できない物品等を収納しておくことができるので、建物Ａの内部空間を有効的に利用することができるとともに居住性を向上させることができる。
また、前記収納空間６には、前記中間床２の外部に設けられた後述するデッキスペース２０の下部６ｂに連続する土間面６ｃを備えており、前記玄関１ａおよび中間床２以外にもこの収納空間６から外部へと出ることが可能となっている。
【００２３】
さらに、前記収納空間６，７の天井高は、０．９ｍ〜１．４ｍに設定されており、これによって、人が前記収納空間６，７に入って、何とか作業ができる最低限の高さを確保でき、また、このように天井高を必要最低限に押さえることで、建物Ａの高さが高くなることによって隣接する建物に及ぼす日照現象等の影響を極力少なくすることができるようになっている。
【００２４】
一方、前記中間床２の外部にはデッキスペース２０が設けられ、このデッキスペース２０に続く外部階段２１が、後述する前記１階の部屋４の壁部４ｂを介して前記内部階段３に隣接する位置に設置されている。すなわち、このようなデッキスペース２０および外部階段２１を前記中間床２の外部に設けることで、前記１階の部屋４をホームシアターとして使用している際などに、これを妨げること無く建物外部と前記中間床２とを直接行き来することができるようになっている。
また、前記デッキスペース２０に客等を招く際にも、玄関１ａや廊下１ｃ等を通過せずに直接招くことができ、このデッキスペース２０から建物内部に入る際にも玄関１ａや廊下１ｃ等を通過せずに直接入ることができるので、行き来がしやすく使い勝手が良い。
【００２５】
さらに、前記中間床２の上部には、図２に示すように、リビング２２ａ、ダイニング２２ｂおよびキッチン２２ｃ等を含む共用居住空間２２が設けられている。すなわち、前記中間床２の下部に前記収納空間６，７を設けながらも、前記中間床２上にリビング２２ａ、ダイニング２２ｂおよびキッチン２２ｃ等を含む共用居住空間２２を配置することができるので、建物Ａの内部空間を有効的に利用することができるとともに居住性を向上させることができるようになっている。
また、前記中間床２よりも上の階と、前記１階の部屋４もしくは前記デッキスペース２０とを行き来する場合には、前記共用居住空間２２を通過することになるので、住人どうしのコミュニケーションの機会を容易に得ることができるので好ましい。
なお、前記リビング２２ａは、図２および図３に示すように、前記中間床２から２階の床５を貫き、２階の天井に到達する吹抜け空間となっており、開放感のある快適な居住空間となっている。
【００２６】
前記内部階段３は、図１および図２に示すように、前記中間床２と１階の床１とを連絡し、前記１階の部屋４の外部に面する壁部４ｂに隣接して設置されている。そして、このように前記内部階段３を前記１階の部屋４の外部に面する壁部４ｂに隣接して設置することにより、前記１階の部屋４のその他のスペースを広く取ることが可能となるので、建物Ａの内部空間を有効的に利用することができるようになっている。
【００２７】
さらに、前記内部階段３は、その幅が、大人２人が並列した幅よりも広く設定されている。これにより、前記１階の床１と中間床２との行き来のためのスペースを確保しつつ前記内部階段３を広々と使うことができるので、前記内部階段３に腰掛けながら映画等を快適に鑑賞することができるようになっている。
【００２８】
また、前記１階の部屋４の壁部４ｂには、窓部４ｄが設けられており、この窓部４ｄから採光することによって、前記内部階段３の昇降時における安全性に配慮した構造となっている。
【００２９】
前記１階の部屋４は、上述のように前記内部階段３が設置されており、この内部階段３に対向して、前記２階の床５の下部に到達する高さの壁面４ａを備えている。そして、このように大面積の壁面４ａを設けることにより、前記内部階段３を階段状の座席として用い、前記１階の部屋４をホームシアターとして利用することができるようになっている。
すなわち、前記１階の部屋４には、図示はしないが、前記壁面４ａに収納可能なスクリーンが設けられているとともに、天井や床等に前記スクリーンに映像を映し出すためのプロジェクターや、スピーカー等の各種ホームシアター設備が設置されており、いつでもこの１階の部屋４をホームシアターとして利用することができるようになっている。
【００３１】
さらに、前記収納空間６，７の出入り口６ａ，７ａが、図１に示すように、１階の部屋４に面して設けられており、これによって、前記１階の部屋４からの物品の搬出入がし易いだけでなく、前記１階の部屋４の開口部４ｃを通じて建物外部からの物品の搬出入がし易くなり、使い勝手が良く好ましい。
【００３２】
前記２階の床５は、図３に示すように、前記中間床２から続く階段２ａから上がることができるようになっている。２階には、前記中間床２から続く階段２ａに連続して廊下５ａが設けられ、この廊下５ａから２階の各部屋５ｂ〜５ｄ、浴場５ｅ、トイレ５ｆに入ることができる。
【００３３】
また、前記廊下５ａを進んだ先には、半階下がるための階段５ｇが設けられており、この階段５ｇを下りて、図２に示すように、２階床下収納５ｈに向かうことができるようになっている。この２階床下収納５ｈは、前記１階の床１上に設けられた和室１ｄ、トイレ１ｅ、洗面室１ｆ上に位置している。
このような２階床下収納５ｈは、前記１階の床１上に前記中間床２が設けられた分の高さを利用して設けられており、これにより、建物Ａの内部空間を有効的に利用することが可能となるので、居住性を向上させることができるようになっている。そして、この２階床下収納５ｈの天井高は、前記１階の床１上に前記中間床２が設けられた分の高さと同様であり、前記中間床２の下方に設けられた前記収納空間６，７の天井高が、０．９ｍ〜１．４ｍに設定されているので、この２階床下収納５ｈの天井高も同様に０．９ｍ〜１．４ｍに設定されている。
【００３４】
なお、図１および図２に示すように、前記１階の床１の収納所１ｂの直上に、前記２階床下収納５ｈと同じ床レベルで、天井高が２階の天井に達する収納所５ｉが設けられている。
【００３５】
本実施の形態によれば、１階の部屋４の壁面４ａが内部階段３に対向しており、前記内部階段３から前記壁面４ａ全面を見渡すことができるようになっているので、前記壁面４ａに大型のスクリーンを設けるとともに、前記１階の部屋４内にプロジェクターを設けることにより、前記１階の部屋４をホームシアターとして利用することが可能となり、前記内部階段３に腰掛けて映画等を楽しむことができる。しかも、前記内部階段３の幅が、大人２人が並列した幅よりも広く設定されていることから、前記１階の床１と中間床２との行き来のためのスペースを確保しつつ前記内部階段３を広々と使うことができるので、前記内部階段３に腰掛けながら映画等を快適に鑑賞することができる。
また、前記内部階段３および前記１階の部屋４を用いてホームシアターとして利用することができ、しかも、前記中間床２と１階の床１との間に収納空間６，７を設けるとともに、前記内部階段３を上がった先の前記中間床２上に更に他の居住空間を設けることができるので、建物Ａの内部空間を有効的に利用することができるとともに居住性を向上させることができる。
したがって、建物Ａ内にホームシアターを設けながら他の居住空間のためのスペースを十分に取ることが可能となるので、建物Ａの内部空間を有効的に利用することができるとともに快適性および居住性を向上させることができる。
【図面の簡単な説明】
【００３６】
【図１】本発明の建物における１階部分を示す間取り図である。
【図２】図１に示す建物の中間階部分を示す間取り図である。
【図３】図１に示す建物の２階部分を示す間取り図である。
【符号の説明】
【００３７】
Ａ  建物
１  １階の床
２  中間床
３  内部階段
４  １階の部屋
４ａ  壁面
５  ２階の床
６  収納空間
７  収納空間
【図１】
0005554462.tif 000002
【図２】
0005554462.tif 000003
【図３】
0005554462.tif 000004